(57)【特許請求の範囲】
【請求項１】
画像や文字等の情報を表示可能な矩形の表示部を有する第１ユニットと操作部を有する第２ユニットとが回転可能に結合された携帯通信端末において、
複数の機能を選択可能に前記表示部に表示させる制御手段と、
前記第２ユニットの前記操作部が設けられた面に、前記表示部の辺に沿った方向に伸びた形状で前記表示部の横辺に沿ってまたは縦辺および横辺の両方に沿って配置され、前記表示部に表示された複数の機能の選択を行う選択操作手段と、
を有し、前記制御手段が、前記表示部が前記第２ユニットに対してほぼ直交する横長状態となる回転状態に設定されたとき、前記複数の機能にそれぞれ対応した複数のアイコンを前記表示部に前記選択操作手段に沿って表示させ、前記選択操作手段の操作方向と同じ方向に少なくとも前記アイコンの強調表示を移動させることを特徴とする携帯通信端末。
【請求項２】
前記制御手段は、複数の機能を起動して前記表示部にそれらの情報を表示しているときは前記選択操作手段を前記複数の機能の切替操作手段として制御し、単一機能を起動して前記表示部に表示しているときには前記選択操作手段を前記単一機能を表示する情報の移動手段として制御する、ことを特徴とする請求項１に記載の携帯通信端末。
【請求項３】
前記選択操作手段は、前記表示部の長手方向とほぼ平行に伸びた形状を有し、前記表示部の所定領域と対応した操作子であることを特徴とする請求項１または２に記載の携帯通信端末。
【請求項４】
前記第１ユニットは前記第２ユニットとほぼ同一形状および同一サイズを有し、前記第１ユニットと前記第２ユニットとはスライド可能であり、かつスライド伸展状態において回転可能に結合されており、前記表示部が前記第２ユニットに対してほぼ直交する横長状態となる回転状態に設定されたとき、前記選択操作手段は、前記表示部の長手方向と平行であることを特徴とする請求項１−３のいずれか１項に記載の携帯通信端末。
【請求項５】
前記制御手段は、前記第１ユニットと前記第２ユニットとの位置関係に応じて起動する機能数を制限することを特徴とする請求項４に記載の携帯通信端末。
【請求項６】
前記制御手段は、前記第１ユニットと前記第２ユニットとの位置関係に応じて起動すべき機能を予め設定することを特徴とする請求項４または５に記載の携帯通信端末。
【請求項７】
前記選択操作手段はトラックパッドであることを特徴とする請求項１−６のいずれか１項に記載の携帯通信端末。
【請求項８】
画像や文字等の情報を表示可能な矩形の表示部を有する第１ユニットと操作部を有する第２ユニットとが回転可能に結合された携帯通信端末における前記表示部に表示された情報を選択する方法において、
前記表示部が前記第２ユニットに対してほぼ直交する横長状態となる回転状態に設定されたとき、複数の機能にそれぞれ対応した複数のアイコンを前記表示部の１つの辺に沿った方向に配列表示し、
前記表示部の辺に沿った方向に伸びた形状で前記表示部の横辺に沿ってまたは縦辺および横辺の両方に沿って配置された線状の選択操作手段により検出された位置情報に従って少なくとも前記アイコンの強調表示を移動させ、
前記強調表示されたアイコンに対応する機能を選択する、
ことを特徴とする携帯通信端末における情報選択方法。
【請求項９】
複数の機能を起動して前記表示部にそれらの情報を表示しているときは前記選択操作手段によって前記複数の機能を切り替え、単一機能を起動して前記表示部に表示しているときには前記選択操作手段によって前記単一機能を表示する情報をスクロールさせる、ことを特徴とする請求項８に記載の携帯通信端末における情報選択方法。
【請求項１０】
画像や文字等の情報を表示可能な矩形の表示部を有する第１ユニットと操作部を有する第２ユニットとが回転可能に結合された携帯通信端末における前記表示部に表示された情報を選択するようにコンピュータを機能させるプログラムであって、
前記表示部が前記第２ユニットに対してほぼ直交する横長状態となる回転状態に設定されたとき、複数の機能にそれぞれ対応した複数のアイコンを前記表示部の１つの辺に沿った方向に配列表示し、
前記表示部の辺に沿った方向に伸びた形状で前記表示部の横辺に沿ってまたは縦辺および横辺の両方に沿って配置された線状の選択操作手段により検出された位置情報に従って少なくとも前記アイコンの強調表示を移動させ、
前記強調表示されたアイコンに対応する機能を選択する、
ようにコンピュータを機能させることを特徴とするプログラム。
【発明の詳細な説明】
【技術分野】
【０００１】
本発明は表示部を有する携帯通信端末に係り、特に複数の機能を搭載した携帯通信端末に関する。
【背景技術】
【０００２】
近年、大型の表示部を有する携帯通信端末が普及しつつあり、特に表示画面を横長に変更できるタイプの携帯電話機は映像コンテンツの表示に適していることから、携帯性（持ち運び易さ）との両立を図るうえで注目されている。このような携帯通信端末の一例として、特開２００７−４９２９４号公報（特許文献１）に、２つの筐体をスライド可能かつ回動可能に連結し、液晶表示部を横長の姿勢に変更可能な携帯端末が開示されている。
【先行技術文献】
【特許文献】
【０００３】
【特許文献１】特開２００７−４９２９４号公報
【発明の概要】
【発明が解決しようとする課題】
【０００４】
しかしながら、近年の携帯通信端末は情報処理能力も大きく向上しており、音声通話機能だけでなく、テレビ電話、カメラ、ブラウザ（インターネット接続）、電子メール、放送受信(ＴＶ)など様々な機能（タスク）が搭載されている。特に、複数の機能を同時実行して表示部に表示している状態では、所望の機能を選択することが容易ではなくなり、表示画面の姿勢を縦長あるいは横長に変更しても操作性を向上させることは困難であった。
【０００５】
そこで、本発明の目的は、複数の状態が選択可能に表示された状態であっても優れた操作性を得ることができる携帯通信端末および情報選択方法を提供することにある。
【課題を解決するための手段】
【０００６】
本発明による携帯通信端末は、画像や文字等の情報を表示可能な矩形の表示部を有する第１ユニットと操作部を有する第２ユニットとが回転可能に結合された携帯通信端末であって、複数の機能を選択可能に前記表示部に表示させる制御手段と、前記第２ユニットの前記操作部が設けられた面に、前記表示部の辺に沿った方向に伸びた形状で前記表示部の横辺に沿ってまたは縦辺および横辺の両方に沿って配置され、前記表示部に表示された複数の機能の選択を行う選択操作手段と、を有し、前記制御手段が、前記表示部が前記第２ユニットに対してほぼ直交する横長状態となる回転状態に設定されたとき、前記複数の機能にそれぞれ対応した複数のアイコンを前記表示部に前記選択操作手段に沿って表示させ、前記選択操作手段の操作方向と同じ方向に少なくとも前記アイコンの強調表示を移動させることを特徴とする。
本発明による情報選択方法は、画像や文字等の情報を表示可能な矩形の表示部を有する第１ユニットと操作部を有する第２ユニットとが回転可能に結合された携帯通信端末における前記表示部に表示された情報を選択する方法であって、前記表示部が前記第２ユニットに対してほぼ直交する横長状態となる回転状態に設定されたとき、複数の機能にそれぞれ対応した複数のアイコンを前記表示部の１つの辺に沿った方向に配列表示し、前記表示部の辺に沿った方向に伸びた形状で前記表示部の横辺に沿ってまたは縦辺および横辺の両方に沿って配置された線状の選択操作手段により検出された位置情報に従って少なくとも前記アイコンの強調表示を移動させ、前記強調表されたアイコンに対応する機能を選択する、ことを特徴とする。
【発明の効果】
【０００７】
本発明によれば、複数の状態が選択可能に表示された状態であっても優れた操作性を得ることができ、ユーザの利便性を向上させることができる。
【図面の簡単な説明】
【０００８】
【図１】（Ａ）、（Ｂ）および（Ｃ）は、本発明の一実施例による携帯通信端末の縮退状態、スライド状態および回転状態をそれぞれ示す平面図である。
【図２】本実施例による携帯通信端末のユニット結合部を示す一部破断の平面図である。
【図３】本実施例による携帯通信端末の回転状態における操作例を説明するための平面図である。
【図４】本実施例による携帯通信端末の回路構成を示すブロック図である。
【図５】本実施例による携帯通信端末における操作子の機能割当変更手順の一例を示すフローチャートである。
【図６】（Ａ）は本実施例による携帯通信端末における機能起動制限手順の一例を示すフローチャートであり、（Ｂ）は機能一括起動手順の一例を示すフローチャートである。
【図７】本実施例による携帯通信端末の記憶部に格納された設定情報の一例を示すテーブルである。
【発明を実施するための形態】
【０００９】
１．構成
図１（Ａ）、（Ｂ）および（Ｃ）は、本発明の一実施例による携帯通信端末の縮退状態、スライド状態および回転状態をそれぞれ示す平面図であり、図２は本実施例による携帯通信端末のユニット結合部を示す一部破断の平面図である。本実施例による携帯通信端末は、第１ユニット１０と第２ユニット２０とが結合部３０（図２参照）によってスライド可能かつ回転可能に連結されている。すなわち、結合部３０には、図１（Ｂ）に示すように第１ユニット１０と第２ユニット２０とを矢印方向にスライドさせるスライド機構と、最も伸展させたスライド状態において第１ユニットと第２ユニットとを図１（Ｃ）に示すように回動可能に結合する回転機構とが設けられている。
【００１０】
第１ユニット１０と第２ユニット２０とは、図１（Ａ）に示す縮退状態でほぼ重なるように形状およびサイズがほぼ同一であり、その形状は縦長の矩形である。第１ユニット１０の前面のほぼ全体に縦長矩形の表示部１０１が設けられ、その上にタッチパネルが設けられている。表示部１０１のサイズは一例として１００×３５[ｍｍ]である。さらに第１ユニット１０の長手方向の両端にスピーカ１０２および１０３が搭載されている。また、縮退状態およびスライド状態において、表示部１０１上のタッチスクリーンに入力手段として十字キー１０４が表示されてもよい。
【００１１】
図１（Ｂ）および図２に示すように、結合部３０によって第１ユニット１０は第２ユニット２０に対して矢印方向にスライド可能である。このスライド状態で、第２ユニット２０の前面下部に設けられたマイク１０５およびテンキー１０６が露出する。後述するように、スライド状態で電話機能が使用可能となるので、電話モードでは上端のスピーカ１０２を受話器、下端のマイク１０５を送話器として使用すればよい。
【００１２】
図１（Ｃ）に示すように、結合部３０によって、スライド状態の第１ユニット１０は第２ユニット２０に対して矢印方向に回転可能である。回転状態では、第１ユニット１０と第２ユニット２０とがＴ字状となり、横方向の第１ユニット１０の表示部１０１が横長画面となり、その左右対称の位置にスピーカ１０２および１０３が位置する形態となる。
【００１３】
この回転状態で、第２ユニット２０の前面にあってテンキー１０６の上に設けられた十字キー１０８、トラックパッド１０９およびカメラ開口部１０７が露出する。図示されていないが、その他にスクロールキーや決定キー等のキーも別個に設けられていてもよい。十字キー１０８は、表示画面のカーソルの移動、メニュー項目の選択、表示画面のスクロール、あるいはアクティブウィンドウの切替などを行うことができる。
【００１４】
上述したように、本実施例による携帯通信端末では、大きく分けて２種類の操作子が設けられている。第１の操作子は通常の情報入力用の操作キーであり、携帯電話機などに設けられているテンキー１０６などである。第２の操作子は機能ウィンドウ、アイコンあるいはメニュー項目の選択や表示画面のスクロールなどを行う選択操作キーであり、ここではトラックパッド１０９である。
【００１５】
トラックパッド１０９は、操作が容易であることと端末の小型化が可能となるように、線形状あるいは横長形状であることが望ましい。本実施例におけるトラックパッド１０９は、横長の表示部１０１に対応してほぼ平行に設けられている。ただし、更にもう１本の線状トラックパッドを直交して設けることで２次元的な画面操作も可能である。トラックパッド１０９は静電式あるいは感圧式の周知のものを使用することができ、ユーザがトラックパッド１０９上で指をスライドさせることで表示画面の操作が可能となる。具体例は後述するが、たとえば、表示画面のカーソルの移動、メニュー項目の選択、表示画面のスクロール、あるいはアクティブウィンドウの切替などである。また、トラックパッド１０９は回転状態以外の端末状態では第１ユニット１０によって覆われて保護されているので、意図しない画面操作を防止できる。
【００１６】
図３は本実施例による携帯通信端末の回転状態における操作例を説明するための平面図である。端末が回転状態であれば、表示部１０１が横長であることを利用して、メールや電話帳検索などのだけでなく、Ｗｅｂサイトのコンテンツ画像表示、ＴＶ視聴、カメラ撮影あるいはＴＶ電話などの機能を利用することができ、また図３に例示するように、これら複数の機能（タスク）をいわゆるウィンドウ表示することもできる。
【００１７】
図３の例では、４つのタスクTask1-Task４が表示部１０１にウィンドウ表示されている。更に、これらのタスクにそれぞれ対応したアイコンＴ１−Ｔ４が表示画面の最下部にトラックパッド１０９と平行になるように表示されている。また、現在アクティブになっているウィンドウおよびそれに対応したアイコン（図３ではTask2、Ｔ２）は、一目で判別できるように強調表示されることが望ましい。
【００１８】
このように複数タスクが起動してそれぞれのウィンドウが表示されているとき、ユーザが指でトラックパッド１０９を左から右へ走査すると、アクティブウィンドウを示す強調表示も同じ方向へ移動する。すなわちアクティブウィンドウがTask2およびＴ２から右にあるTask3およびＴ３へ、さらにTask4およびＴ４へシフトする。逆にトラックパッド１０９の右から左へ指を走査すると、同じ方向にアクティブウィンドウをシフトさせることができる。所望のタスクの操作またはメニューあるいはメニュー項目の選択を行う場合には、たとえば当該タスクをアクティブにしてからトラックパッド１０９を指で２回連続して打つなどの操作により決定すればよい。
【００１９】
このように起動している複数のタスクにそれぞれ対応したアイコンが表示画面の最下部にトラックパッド１０９と平行になるように表示されているので、トラックパッド１０９上で指を移動させるだけで、多数のタスクから所望のタスクを容易に選択することができる。なお、１つのタスクだけが起動されている場合は、後述するようにトラックパッド１０９の機能をスクロールに切り替えてもよい。
【００２０】
図４は本実施例による携帯通信端末の回路構成を示すブロック図である。本実施例による携帯通信端末は、無線通信機能（通話、メール送受信、インターネット接続）だけでなくＴＶ放送受信機能も備えており、そのためにアンテナを介して無線基地局（図示せず)との間で無線により情報の送受を行う無線通信部２０１と、放送局（地上局、衛星など）から送信された放送信号をアンテナを介して受信して復調し、映像データ、音声データ、その他データの信号処理を行う放送受信部２０２と、を有する。
【００２１】
また、回転状態で利用可能となるカメラ機能は、画像情報の取得（撮影）を行うカメラ部２０３によって実現される。音声処理部２０４は、送話部（マイク１０５）および受話部（スピーカ１０２）を介して入出力された音声信号の処理を行う。
【００２２】
音声出力切替制御部２０５は、上述したようにスライド状態での電話モードではスピーカ１０２を音声処理部２０４に接続し、音声処理部２０４からの受信音声信号をスピーカ１０２により出力する。また、回転状態でのＴＶ受信モードあるいはコンテンツ再生モードなどでは、音声出力切替制御部２０５は、スピーカ１０２およびスピーカ１０３の両方をモノラル／ステレオ音声出力装置として機能させる。この機能以外では、スピーカ１０３は、楽音や報知音などの鳴音出力を行うために使用される。
【００２３】
表示部１０１は、上述したように、画像、図形、文字、記号などの情報を表示する機能を有するが、タッチパネル２０６が表示部１０１上に設けられていることで、圧力や静電容量等の方式により利用者の入力操作を感知するスイッチ機能（タッチスクリーン）としても機能する。
【００２４】
操作制御部２０７は、テンキー１０６、十字キー１０８およびトラックパッド１０９、その他スクロールキーや決定キー等が接続され、タッチパネル２０６とともにユーザによる各種情報入力を可能にする。
【００２５】
状態検出部２０８は、スライドセンサ２０９および回動センサ２１０に接続され、端末の第１ユニット１０および第２ユニット２０の状態を検出する。スライドセンサ２０９および回動センサ２１０は、たとえば磁気／ホール素子または凸部／押下スイッチ等で構成することができ、スライドセンサ２０９は第１ユニット１０が第２ユニット２０に対してスライドして伸展状態（図１（Ｂ））になったことを検出し、回動センサ２１０は第１ユニット１０が第２ユニット２０に対して回転して回転状態（図１（Ｃ））になったことを検出する。
【００２６】
記憶部２１１は半導体メモリおよび／または磁気メモリ（ＨＤＤなど）から構成され、電話帳情報、送受信メール情報、発着呼情報、コンテンツ情報、アプリケーションプログラム情報、撮影画像、携帯無線端末の設定情報などを格納する。
【００２７】
制御部２１２は、上述した各ブロック（参照番号１０１、２０１−２０８、２１１）とバス接続されており、電話機能、メール機能、インターネット(Web)接続機能、カメラ機能、テレビ受信機能、コンテンツ再生機能、その他端末に搭載された機能や端末の全体的な動作の制御を行う。たとえば、制御部２１２の制御の下で、状態検出部２０８によって検出された端末の状態（縮退状態、スライド状態あるいは回転状態）に従って、操作キーやトラックパッドなどの操作子の機能割当を変更したり、表示部１０１が縦長か横長かによって表示画面の向きを変化させたり、端末の状態に応じて予め設定された機能のみを一括して画面に表示したりする。また、上述したようにトラックパッド１０９は、第１ユニット１０のスライド伸展および回動によって外部に露出し、表示部１０１に表示された機能ウィンドウ、アイコンあるいはメニュー／メニュー項目の選択、スクロール等を行うことができる。
【００２８】
なお、制御部２１２は、ＣＰＵ等のプログラム制御プロセッサ上でそれぞれの機能および機能制御プログラムを実行することで、ソフトウエアにより実現されうる。
【００２９】
２．動作
２．１）操作子の割当機能変更
図５は本実施例による携帯通信端末における操作子の機能割当変更手順の一例を示すフローチャートである。ここでは、回転状態でトラックパッド１０９が利用可能である場合の機能割当変更を例示する。
【００３０】
制御部２１２は、状態検出部２０８の検出信号をモニタし、端末が回転状態になったか否かを判定する（ステップＳ３０１）。回転状態で十字キー１０８およびトラックパッド１０９が操作可能になると（ステップＳ３０１：Ｙｅｓ）、制御部２１２は現在複数のタスクが起動しているか否かを判定する（ステップＳ３０２）。
【００３１】
現在複数のタスクが起動している場合（ステップＳ３０２：Ｙｅｓ）、制御部２１２はトラックパッド１０９によるマルチタスク操作を有効とし（ステップＳ３０３）、トラックパッド１０９が走査されたか否かを判定する（ステップＳ３０４）。トラックパッド１０９が走査された時（ステップＳ３０４：Ｙｅｓ）、制御部２１２はトラックパッド１０９の操作位置に応じたタスクを選択して機能アクティブにする（ステップＳ３０５）。
【００３２】
現在単一のタスクが起動している場合（ステップＳ３０２：Ｎｏ）、制御部２１２はトラックパッド１０９によるスクロール操作を有効とし（ステップＳ３０６）、トラックパッド１０９が走査されたか否かを判定する（ステップＳ３０７）。トラックパッド１０９が走査された時（ステップＳ３０７：Ｙｅｓ）、制御部２１２はトラックパッド１０９の走査量に応じた横方向のスクロールを行う（ステップＳ３０８）。
【００３３】
このようにトラックパッド１０９の機能は、マルチタスク起動中か単一タスク起動中かに応じてタスク選択とスクロールとの間で切り替えられる。同様の機能変更は、回転状態で露出する十字キー１０８にも適用できる。
【００３４】
２．２）機能起動制御
図６（Ａ）は本実施例による携帯通信端末における機能起動制限手順の一例を示すフローチャートであり、（Ｂ）は機能一括起動手順の一例を示すフローチャートである。図７は本実施例による携帯通信端末の記憶部に格納された設定情報の一例を示すテーブルである。
【００３５】
上述したように、本実施例による携帯通信端末は、第１ユニット１０と第２ユニット２０とを閉じた縮退状態から、第１ユニット１０をスライドさせて第２ユニット２０のテンキー１０６を外部に露出させたスライド状態、更に第１ユニット１０を回動させて第２ユニット２０の十字キー１０６、トラックパッド１０９およびカメラ開口部１０７を露出させた回転状態へ変位することができる。従って、所定の機能（通話、メール、テレビ電話、インターネット接続、放送受信等）を最適な端末状態で利用できるように予め設定しておくことが望ましい。特に多機能化が進むほど端末状態と使用可能なキーおよび機能とをマッチングさせることが煩雑になるので、このマッチングをある範囲で事前に設定しておくことが望ましい。更に、端末の処理能力および表示面積を考慮して、同時起動されるタスク数を制限することが望ましい。
【００３６】
たとえば、図７に示すように、縮退状態では第２ユニット２に設けられたキーは露出していないので、電源キー（図示せず。）の他にはタッチスクリーン十字キー１０４のみを有効にしておき、１つのタスク（ここではメニュー選択）のみを起動可能にしておく（Ｎｔｈ＝１）。更に、予め起動する機能をメニュー選択に設定しておく。
【００３７】
スライド状態ではテンキー１０６が露出するので、タッチスクリーン十字キー１０４の他にテンキー１０６を有効にし、３つのタスク（ここではメニュー選択、電話およびメール）を起動可能にするとともに、最大起動タスク数を２に制限しておく（Ｎｔｈ＝２）。更に、予め起動する機能をメニュー選択と電話機能の２つに設定しておく。
【００３８】
回転状態ではテンキー１０６に加えて十字キー１０８、トラックパッド１０９およびカメラも操作可能になるので、全タスク（ここではメニュー選択、電話、メール、テレビ受信、カメラ撮影、テレビ電話、Ｗｅｂ接続、コンテンツ再生）を起動可能にするとともに、起動タスク数を５に制限する（Ｎｘ＝５）。更に、予め起動する機能をメニュー選択、電話機能、メール機能、カメラ機能およびＷｅｂ接続機能の５つに設定しておく。
【００３９】
このような設定情報が記憶部２１１に格納されていると仮定した場合、ユーザが何らかの操作子を操作してある機能を起動しようとしたとき、制御部２１２は次のようにして機能起動の可否を判定し制限する。
【００４０】
図６（Ａ）に示すように、制御部２１２は、タッチスクリーン十字キー１０４、テンキー１０６あるいは十字キー１０８の操作により機能の起動要求があるか否かを判定し（ステップＳ４０１）、機能起動要求があれば（ステップＳ４０１：Ｙｅｓ）、状態検出部２０８の検出結果を用いて現在の端末の状態が回転状態であるか否かを判定する（ステップＳ４０２）。回転状態以外、すなわち縮退状態あるいはスライド状態であれば（ステップＳ４０２：Ｎｏ）、制御部２１２は記憶部２１１の設定情報テーブルを参照して、要求された機能が現端末状態で許可された機能に含まれるか否かを判定する（ステップＳ４０３）。許可された機能であれば（ステップＳ４０３：Ｙｅｓ）、制御部２１２はさらに現在起動中の機能数Ｎｆが設定された上限起動数Ｎｔｈ以下であるか否かを判定する（ステップＳ４０４）。Ｎｆ≦Ｎｔｈであれば（ステップＳ４０４：Ｙｅｓ）、要求された機能を起動する（ステップＳ４０５）。
【００４１】
現在の端末の状態が回転状態であれば（ステップＳ４０２：Ｙｅｓ）、制御部２１２は記憶部２１１の設定情報テーブルを参照して、現在起動中の機能数Ｎｆが設定された上限起動数Ｎｘ以下であるか否かを判定する（ステップＳ４０６）。Ｎｆ≦Ｎｘであれば（ステップＳ４０６：Ｙｅｓ）、要求された機能を起動する（ステップＳ４０５）。
【００４２】
機能の起動要求がない場合（ステップＳ４０１：Ｎｏ）、要求された機能が現状態で許可された機能でない場合（ステップＳ４０３：Ｎｏ）、Ｎｆ＞Ｎｔｈである場合（ステップＳ４０４：Ｎｏ）あるいはＮｆ＞Ｎｘである場合（ステップＳ４０６：Ｎｏ）には、当該機能を起動することなく処理を終了する。ただし、その際、要求が拒否された理由をユーザに通知することが望ましい。たとえば、要求された機能が現状態で許可された機能でない場合であれば（ステップＳ４０３：Ｎｏ）、その旨を表示部１０１に表示する。また現在起動中の機能数Ｎｆが上限起動数Ｎｔｈを超えているのであれば（ステップＳ４０４：Ｎｏ）、起動中の機能をどれか終了させるように催促するように表示部１０１に表示する。
【００４３】
このように携帯通信端末の状態に応じて、ユーザによる最適な機能選択を促すことができる。例えば、切替操作性に応じて、縮退状態ではタスク数１、スライド状態ではタスク数２、回転状態タスク数５の起動機能数の上限を設定することで、ユーザが切替操作で迷うことを回避できる。また各端末状態での起動できる機能（タスク）として、例えば、動画再生/編集は、当該タスク（機能）を利用する上での必要な操作子（テンキー１０６、十字キー１０８、トラックパッド１０９）が露出して操作性に支障がない回転状態でのみ起動できるようにすれば、利用者の操作性向上にもつながる。
【００４４】
また、ユーザが事前に起動しておきたい機能を端末状態ごとに設定しておくことで、端末の状態を変更するだけで最適な機能を一括して起動することができる。
【００４５】
図６（Ｂ）に示すように、制御部２１２は、状態検出部２０８の検出結果をモニタしながら端末の状態に変化があるか否かを判定する（ステップＳ５０１）。端末状態に変化があれば（ステップＳ５０１：Ｙｅｓ）、制御部２１２は記憶部２１１の設定情報テーブルを参照して、現在の状態に機能設定がされているか否かを判定する（ステップＳ５０２）。
【００４６】
現在の状態に機能設定がされていれば（ステップＳ５０２：Ｙｅｓ）、その設定された機能を起動する（ステップＳ５０３）。たとえば、スライド状態から回転状態へ変化させたならば、制御部２１２は記憶部２１１の設定情報テーブルから回転状態の設定起動機能（ここでは、メニュー選択、電話機能、メール機能、カメラ機能およびＷｅｂ接続機能）を参照して、スライド状態で起動していない機能（メール機能、カメラ機能およびＷｅｂ接続機能）を一括して起動する。
【００４７】
なお、現在の状態に機能設定がされていない場合には（ステップＳ５０２：Ｎｏ）、前回の最終利用機能を起動するようにすればよい（ステップＳ５０４）。
【００４８】
このように、制御部２１２は、開状態（スライド→回動状態）に変位させたときに、事前の設定に応じた所定の機能（インターネット接続、放送受信等）を一括して起動させるように制御する。これにより、個々に機能を立ち上げる手間を省き、マルチタスク機能の十分な活用を促すことができる。
【産業上の利用可能性】
【００４９】
本発明は携帯電話機などの表示部を有する携帯通信端末に提供可能である。
【符号の説明】
【００５０】
１０  第１ユニット
２０  第２ユニット
３０  結合部
１０１  表示部
１０２  スピーカ
１０３  スピーカ
１０４  タッチスクリーン十字キー
１０５  マイク
１０６  テンキー
１０７  カメラ開口部
１０８  十字キー
１０９  トラックパッド
２０１  無線通信部
２０２  放送受信部
２０３  カメラ部
２０４  音声処理部
２０５  音声出力切替制御部
２０６  タッチパネル
２０７  操作制御部
２０８  状態検出部
２０９  スライドセンサ
２１０  回動センサ
２１１  記憶部
２１２  制御部
【図１】
0005311084.tif 000002
【図２】
0005311084.tif 000003
【図３】
0005311084.tif 000004
【図４】
0005311084.tif 000005
【図５】
0005311084.tif 000006
【図６】
0005311084.tif 000007
【図７】
0005311084.tif 000008